(57)【要約】【課題】被加熱物の内部に対する表層部の加熱量を自由に調節することができる加熱装置を提供する。【解決手段】加熱装置１は、ヒータ１０，１０・・と、ヒータ１０，１０・・に対向して被加熱物を配置するテーブル８と、被加熱物とヒータ１０，１０・・の間に冷却媒体としてのエアを供給する被加熱物表層部冷却手段としてのファン８２とを有している。被加熱物表層部冷却手段は、冷却媒体の流路を形成する流路形成体であり、被加熱物の表面に接しているものであっても良く、この場合、好ましくは、ヒータ１０，１０・・は、赤外線を放射可能な赤外線ヒータであり、流路形成体は、赤外線透過体としての赤外線透過性ガラス板製の表層部冷却器本体部である。【選択図】図２
2019076736.tif 000002
【特許請求の範囲】
【請求項１】
ヒータと、
前記ヒータに対向して被加熱物を配置するテーブルと、
前記被加熱物と前記ヒータの間に冷却媒体を供給する被加熱物表層部冷却手段と
を有する
ことを特徴とする加熱装置。
【請求項２】
前記被加熱物表層部冷却手段はファンであり、
前記冷却媒体はエアである
ことを特徴とする請求項１に記載の加熱装置。
【請求項３】
前記被加熱物表層部冷却手段は、冷却媒体の流路を形成する流路形成体であり、前記被加熱物の表面に接している
ことを特徴とする請求項１に記載の加熱装置。
【請求項４】
前記ヒータは、赤外線を放射可能な赤外線ヒータであり、
前記流路形成体は、赤外線透過体である
ことを特徴とする請求項３に記載の加熱装置。
【発明の詳細な説明】
【技術分野】
【０００１】
本発明は、被加熱物を加熱する加熱装置に関する。
【背景技術】
【０００２】
食品の加熱装置として、下記特許文献１に記載のものが知られている。この加熱装置では、ヒータを内蔵した筐体の出入口を通じて搬送コンベアで搬送される被加熱食品に対し、筐体に形成された給気口を介して筐体内に外気が供給されることで、被加熱食品がなるべくムラの無いように加熱される。
又、食品の焼成を始めとする各種物品を加熱する加熱炉として、下記特許文献２に記載のものが知られている。この加熱炉では、炉内空間の内壁面における被加熱物の搬送方向の上流側の上下と下流側の上下にそれぞれ発熱面を有しており、各発熱面が炉内空間の中心側に向くように傾斜して配置されることで、炉内空間における温度分布の均一化を図っている。
【先行技術文献】
【特許文献】
【０００３】
【特許文献１】特開２００７−６８７８９号公報
【特許文献２】特開２０１２−２４７１７７号公報
【発明の概要】
【発明が解決しようとする課題】
【０００４】
特許文献１の加熱装置では、単純な形状の小さな被加熱食品に対しては、加熱された外気が筐体内に広く及ぶことでムラの少ない状態で加熱できるが、複雑な形状の大きな被加熱物に対しては、外気が回り込み難く、均一に加熱し難い。
特許文献２の加熱炉では、発熱面が炉内空間の中心側を向くように傾斜して設置されることで、炉における搬入口や搬出口からの空気の流出入の影響を軽減して、炉内空間の中心側の温度分布が一定程度均一化されるものの、炉内空間の中心側以外の部分は、却って低温になり、特に複雑な形状の大きな被加熱物に対しては、均一に加熱し難いこととなってしまう。
【０００５】
そこで、請求項１に記載の発明は、被加熱物の内部に対する表層部の加熱量を自由に調節することができる加熱装置を提供することを目的としたものである。
【課題を解決するための手段】
【０００６】
請求項１に記載の発明は、上記目的を達成するため、前記ヒータに対向して被加熱物を配置するテーブルと、前記被加熱物と前記ヒータの間に冷却媒体を供給する被加熱物表層部冷却手段とを有することを特徴とするものである。
請求項２に記載の発明は、上記目的に加え、被加熱物の内部に対する表層部の加熱量を調節可能な加熱装置をシンプルに実現する目的を達成するため、上記発明において、前記被加熱物表層部冷却手段はファンであり、前記冷却媒体はエアであることを特徴とする。
【０００７】
請求項３に記載の発明は、上記目的に加え、被加熱物の内部に対する表層部の加熱量をより一層きめ細やかに調節可能な加熱装置を提供する目的を達成するため、上記発明において、前記被加熱物表層部冷却手段は、冷却媒体の流路を形成する流路形成体であり、前記被加熱物の表面に接していることを特徴とする。
請求項４に記載の発明は、上記目的に加え、被加熱物の内部まで良く加熱可能であり、且つ被加熱物の内部に対する表層部の加熱量を調節可能であり、更になるべく被加熱物の加熱を妨げず加熱効率の良好な加熱装置を提供する目的を達成するため、上記発明において、前記ヒータは、赤外線を放射可能な赤外線ヒータであり、前記流路形成体は、赤外線透過体であることを特徴とする。
【０００８】
尚、関連する発明は、様々な大きさや形状の被加熱物を均一に加熱可能である加熱装置を提供する目的を達成するため、チェーンと、前記チェーンに設けられた複数のヒータと、前記チェーンを任意の姿勢に支持するチェーン支持手段とを備えていることを特徴とするものである。
関連する発明は、上記目的に加え、シンプルな構成によってチェーンないし複数のヒータの多彩な姿勢を実現する目的を達成するため、前記チェーン支持手段は、移動可能な複数のロッドを有しており、前記チェーンは、複数の前記ロッドの各位置に応じた姿勢をとることを特徴とする。
関連する発明は、上記目的に加え、より一層円滑な動作を実現する目的を達成するため、上記発明において、複数の前記ロッドは、それぞれリンクを介して、前記チェーンと接続されていることを特徴とする。
関連する発明は、上記目的に加え、簡単な操作によってチェーンの多彩な姿勢を容易に実現する目的を達成するため、上記発明において、複数の前記ロッドは、駆動機構により駆動されることを特徴とする。
関連する発明は、上記目的に加え、自動的にチェーンないし複数のヒータの多彩な姿勢を実現する目的を達成するため、前記駆動機構の駆動量を制御する制御手段と、前記制御手段に、前記駆動機構の前記駆動量と前記ロッドの前記位置と前記チェーンの前記姿勢の内の少なくとも何れかを入力する入力手段を備えており、前記制御手段は、前記入力手段によって入力された前記駆動量と前記位置と前記姿勢の内の少なくとも何れかに従い前記駆動機構を駆動して、前記チェーンを前記駆動量と前記位置と前記姿勢の内の少なくとも何れかに応じた前記姿勢とし、複数の前記ヒータを前記チェーンの前記姿勢に応じた並びとすることを特徴とする。
関連する発明は、上記目的に加え、ヒータを更に保護し、又熱の効率的な利用を促進する目的を達成するため、上記発明において、前記ヒータは、ブラケットを介して前記チェーンに対し取り付けられることを特徴とする。
関連する発明は、上記目的に加え、加熱が速やかであり熱が深く浸透する赤外線による加熱を良好に行う目的を達成するため、上記発明において、前記ヒータは、赤外線ヒータを含むことを特徴とする。
関連する発明は、上記目的に加え、被加熱物に対する更に一様な加熱を実現する目的を達成するため、上記発明において、前記ヒータと対向するテーブルと、前記テーブルに対してエアを送るファンと、前記テーブルと前記ファンとの間に設けられる風量均一化手段とを備えたことを特徴とする。
関連する発明は、上記目的に加え、シンプルにチェーンを構成する目的を達成するため、上記発明において、前記チェーンは、蝶番、並びに、中空円筒部分及び軸体、の少なくとも一方を含むことを特徴とする。
関連する発明は、上記目的に加え、円筒面状の曲面を有する被加熱物を均一に加熱可能であるようにする目的を達成するため、上記発明において、前記チェーンは、輪状であることを特徴とする。
関連する発明は、上記目的に加え、チェーンの姿勢の維持をシンプルに実現ないし補強する目的を達成するため、上記発明において、前記チェーン支持手段は、前記チェーンの姿勢を維持する添え板を含むことを特徴とする。
【発明の効果】
【０００９】
本発明によれば、被加熱物の内部に対する表層部の加熱量を自由に調節することができる加熱装置を提供することができる、という効果を奏する。
【図面の簡単な説明】
【００１０】
【図１】本発明の第１形態に係る加熱装置の開蓋前面図である。
【図２】図１の開蓋側面図である。
【図３】図１の開蓋上面図である。
【図４】図１のＡ−Ａ線断面図である。
【図５】図１のＢ−Ｂ線断面図である。
【図６】図１のヒータブラケットないしヒータを示す側面図である。
【図７】図１からチェーンの姿勢が変わった状態を示す図である。
【図８】本発明の第２形態に係る加熱装置の電気的側面を示すブロック図である。
【図９】本発明の第３形態に係る加熱装置の要部を示す模式図である。
【図１０】図９の一部拡大模式図である。
【図１１】図９における蝶番の説明図である。
【図１２】本発明の第４形態に係る加熱装置の要部を示す模式図である。
【図１３】本発明の第５形態に係る加熱装置の要部を示す模式図である。
【図１４】本発明の第６形態に係る加熱装置の要部を示す模式図である。
【図１５】本発明の第７形態に係る加熱装置の要部を示す模式図である。
【発明を実施するための形態】
【００１１】
以下、本発明に係る実施の形態の例につき、適宜図面に基づいて説明する。なお、当該形態は、下記の例に限定されない。
【００１２】
［第１形態］
図１は本発明の第１形態に係る加熱装置１の開蓋前面図であり、図２は加熱装置１の開蓋側面図であり、図３は加熱装置１の開蓋上面図であり、図４は図１のＡ−Ａ線断面図であり、図５は図１のＢ−Ｂ線断面図である。尚、前後左右上下は、説明の便宜上定めたものである。
加熱装置１は、各種の部材を搭載するフレーム２を有している。
フレーム２の中央下には、水平なテーブル８が設けられている。テーブル８には、被加熱物を載せる。被加熱物は、前面側（手前側）から後方へ入れてテーブル８に置き、テーブル８上の被加熱物は、前方へ出す。
【００１３】
フレーム２の内側であって、テーブル８の上方には、左右方向に延びる複数のヒータ１０，１０・・が、前後に並べられている。各ヒータ１０は、通電により赤外線を発する赤外線ヒータであり、例えば、タングステンフィラメントを有するものを始めとする近赤外線ヒータ、若しくはカーボンフィラメントを有するものを始めとする中赤外線ヒータ、又はこれらの組合せである。各ヒータ１０は、テーブル８と対向している。
ヒータ１０、１０・・は、ヒータブラケット１１，１１・・、左右のチェーン１２，１２、左右のリンク機構１４，１４、左右の移動部１６，１６、左右の移動部支持機構１８，１８を介して、移動可能に設置されている。
各移動部支持機構１８は、移動部１６を直接駆動するものであり、フレーム２の上端部に固定された水平な天板１９における、左又は右の辺部に固定されている。リンク機構１４と一体の移動部１６は移動部支持機構１８に移動可能に支持されており、リンク機構１４、移動部１６、移動部支持機構１８は、チェーン１２を任意の姿勢に支持するチェーン支持手段を構成する。
【００１４】
各チェーン１２は、前後方向に並ぶ複数のコマ２０，２０・・と、左右方向の複数のローラ２２，２２・・を有する。
各コマ２０は、側面視∞字状で前後上下に広がるコマ鉛直部２４と、コマ鉛直部２４の上辺から水平に延びるコマ水平部２６を有する。尚、厳密には、コマ水平部２６，２６・・は、図１のようにチェーン１２が前後に真っ直ぐである姿勢をとった場合に、水平になる。
コマ２０，２０・・は、前後方向のコマ２０，２０・・が左右２列となるように配置されている。コマ２０，２０・・の当該列同士は、前後方向の線を中心として、互いに左右対称に配置されている。即ち、対応する左右のコマ２０，２０は、向かい合っている。コマ水平部２６は、向かい合う他のコマ２０と逆側に延びている。
各列における前後に隣り合うコマ鉛直部２４，２４は、前縁部と後縁部を重複させた状態で左右交互に配置されている。各列における前後に隣り合うコマ水平部２６，２６は、互いに重ならない大きさ及び配置において形成されている。各列のコマ水平部２６，２６・・は、各列のコマ鉛直部２４，２４・・の中心線である連続曲線に沿った、１つの曲面に入り得る。より詳しくは、各列のコマ水平部２６，２６・・は、当該曲面の接線方向を向く。
各ローラ２２は、コマ２０，２０・・の一方の列における前後に隣り合う２個のコマ鉛直部２４，２４の重複部分と、この重複部分に向かい合う、他方の列における前後に隣り合う２個のコマ鉛直部２４，２４の重複部分とに共通して通されている。各ローラ２２は、左右で向かい合った前側のコマ２０，２０と、左右で向かい合った後側のコマ２０，２０を、ローラ２２の周りの回転が可能である状態で接続する。
【００１５】
又、チェーン１２，１２同士も、テーブル８の中央部上方を挟んで、左右で向かい合うように配置されている。
そして、双方のチェーン１２，１２における、内側の列に係る向かい合うコマ２０，２０（列の最前のコマ２０，２０と最後のコマ２０，２０を除く）のコマ水平部２６，２６に共通して、ヒータブラケット１１が固定されている。ヒータブラケット１１，１１・・は、１つのチェーン１２の１列のコマ２０，２０・・の個数より２個少なく設けられている。列の最前のコマ２０，２０の間には、ヒータブラケット１１と同様の連結板３１が設置されており、列の最後のコマ２０，２０の間にも、同様に連結板３１が設置されている。
各ヒータブラケット１１は、チェーン１２，１２の間あるいはフレーム２の左右幅と同程度の長さを有して左右に延びる部材であって、図６にも示すように、側面視逆凹字状であり、ブラケット水平部３２と、その前後両辺から下に延びる一対のブラケット垂下部３４，３４を有する。ブラケット垂下部３４，３４は、ブラケット水平部３２の辺部から外側に向けて斜めに下がった後（上部）、ブラケット水平部３２に対して垂直に下がり（中央部）、内側に向けて斜めに下がる（下部）。よって、ヒータブラケット１１が隣接するヒータブラケット１１に対して左右方向の軸周りで傾いても、ブラケット垂下部３４が隣接するブラケット垂下部３４と干渉せず、ヒータブラケット１１は隣接するヒータブラケット１１に接触しない。尚、図１では、ブラケット垂下部３４，３４を図示していない。
各ブラケット水平部３２の左右両端部（下面）に、対応する内側のコマ水平部２６（上面）が接しており、これらはボルト３６及びナット３８によって互いに固定されている。
そして、各ヒータ１０は、ヒータクランプ４０，４０を介して、ヒータブラケット１１（ブラケット水平部３２の下面中央部）に固定されている。各ヒータクランプ４０は、下端部においてヒータ１０を掴むと共に、上端部がネジ溝を有しており、当該ネジ溝に入るナット４２，４２によって、ヒータブラケット１１に固定されている。
尚、ヒータブラケット１１は、ヒータ１０に属するものとみることができるし、チェーン１２に属するものとみることもできる。又、チェーン１２，１２及びヒータブラケット１１を１つのチェーンと捉えることもできる。他の部材についても、一対のものを１個の部材（機構）とみたり、異なる部材（機構）に属するものとみたりすることができる。
一方、連結板３１は、ヒータブラケット１１と同様に成るが、ヒータブラケット１１におけるブラケット垂下部３４，３４の一方が省略されて垂下部が１個のみ有る状態となっている。列の最前の連結板３１は、後側のみに垂下部を有し、列の最後の連結板３１は、前側のみに垂下部を有する。
又、中央のヒータブラケット１１，１１の上方には、放射温度計４４が配置されている（図４参照）。放射温度計４４は、テーブル８上の被加熱物Ｗの表面温度を検知可能であり、図示しないヒータ制御手段と電気的に接続されている。
【００１６】
左右のリンク機構１４，１４は、それぞれ複数のリンク５０，５０・・を有する。リンク５０，５０・・は、１個のリンク機構１４において、コマ２０，２０・・と同数設けられている。
各リンク５０は、上下に延びる部材であり、リンク上部５２と、リンク中央部５３と、リンク下部５４と、リンク上部５２及びリンク中央部５３の間に配置される第１ベアリング５６と、リンク中央部５３及びリンク下部５４の間に配置される第２ベアリング５８を有する。第１ベアリング５６は、リンク上部５２とリンク中央部５３を、互いに左右方向の軸周りで回転可能であるようにつなぐ。第２ベアリング５８は、リンク中央部５３とリンク下部５４を、互いに左右方向の軸周りで回転可能であるようにつなぐ。
リンク下部５４は、チェーン１２における対応するコマ２０のコマ水平部２６（外側）に対して固定されている。リンク下部５４は、下端部にネジ溝（図示せず）を有しており、コマ水平部２６に設けられた孔（図示せず）に対して下端部を入れたうえで、下から当該ネジ溝に合うナット５９を嵌めることで固定されている。
【００１７】
左右の移動部１６，１６は、それぞれ複数のロッド６０，６０・・を有する。ロッド６０，６０・・は、１個の移動部１６において、コマ２０，２０・・と同数設けられている。
各ロッド６０は、上下に延びる部材であり、リンク機構１４における対応するリンク５０のリンク上部５２と一体である。各ロッド６０は、天板１９の左辺縁又は右辺縁に開けられた複数の孔の内の対応するものに入っており、天板１９を貫通している。
【００１８】
左右の移動部支持機構１８，１８はそれぞれ、ストッパ７０，７０・・を備えている。ストッパ７０，７０・・は、１個の移動部支持機構１８において、コマ２０，２０・・と同数設けられている。
各ストッパ７０は、対応するロッド６０に対して係脱可能であり、閉方向に倒すとロッド６０に係止してロッド６０を移動不能に支持し、開方向に倒すとロッド６０に対する係止を解いてロッド６０を移動可能とする。
【００１９】
天板１９の上には、移動部１６，１６及び移動部支持機構１８，１８の間の空間を覆う、下に開口した箱状の上カバー８０が載せられている。
上カバー８０の中央部には、図示しない孔が設けられており、当該孔ないしその周辺部には、ファン８２が取り付けられている。ファン８２は、図示しない独立したスイッチ及び電源部と電気的に接続されており、電源投入中、エアを下方へ吹く。
上カバー８０内であって、天板１９の中央部には、矩形の孔が開けられており、その孔には、風量均一化手段としての邪魔板８４が貼られている。邪魔板８４は、複数の小孔を全体に亘り所定のパターン（所定間隔毎）において有する板であり、金属板に対してパンチングにより小孔を開けることで形成されている。
邪魔板８４の左右両側には、前後に延びる端子台ユニット８６，８６が設けられている。各端子台ユニット８６は、天板１９に載せられて固定された前後に延びるレール８７と、レール８７上で配置変更可能且つ固定可能な複数の端子台８８，８８・・を有している。各端子台８８は、対応するヒータ１０と電気的に接続されていると共に、共通の上記ヒータ制御手段及び上記電源部と電気的に接続されている。各ヒータ１０は、対応する端子台８８，８８を介して、上記電源部と接続されている。
【００２０】
このような加熱装置１の動作例につき、主に図７を用いて説明する。
適宜被加熱物Ｗをテーブル８に載せ、任意のストッパ７０を解除してロッド６０を上下に移動させ、位置決め後にストッパ７０を効かせ、このロッド６０の位置決めの手順を適宜繰り返して、予めチェーン１２，１２ないしヒータ１０，１０・・の並びが被加熱物Ｗの形状に合うようにセッティングしておく。
移動によりロッド６０，６０・・の上下位置が互いに異なったとしても、リンク５０，５０・・を介したチェーン１２のコマ２０，２０・・の動きにより、ヒータブラケット１１，１１・・（連結板３１，３１）が、側面視で連続曲線に沿う姿勢に動かされる。即ち、ロッド６０，６０・・は、これらの上下位置によりチェーン１２，１２の姿勢を定める。ロッド６０，６０・・は、チェーン１２，１２におけるコマ２０，２０・・のつながり（各チェーン１２の姿勢）により規制された状態で、ヒータブラケット１１，１１・・を、ブラケット水平部３２，３２・・が連続曲線（各チェーン１２の姿勢）に沿うように適宜傾ける。チェーン１２の姿勢の変化やヒータブラケット１１，１１・・の適宜の傾きの変更は、リンク５０，５０・・により、ロッド６０，６０・・が前後に移動しなくても自然に行われる。リンク５０，５０・・は、コマ２０，２０・・の前後方向の動きに追従可能であり、余程無理な上下位置を指定しない限り、ロッド６０，６０・・が前後に移動しなくても、ロッド６０，６０等に負担がかからない。
【００２１】
そして、図示しないメインスイッチないしファン８２のスイッチの操作により電源を投入して、ヒータ１０，１０・・による被加熱物Ｗの加熱（乾燥を含む）を行う。加熱中、ヒータ制御手段は、放射温度計４４により検知された被加熱物Ｗの表面温度を取得し、当該表面温度に基づいて、ヒータ１０，１０・・のオンオフや発熱強度の強弱を制御する。例えば、ヒータ制御手段は、目標温度を設定し、オンオフや発熱強度を強弱することで当該表面温度を当該目標温度に近づける。
被加熱物Ｗの加熱にあっては、ヒータブラケット１１が被加熱物Ｗへ向けてヒータ１０の発する熱を反射する。特に、ヒータブラケット１１にはブラケット垂下部３４，３４が設けられるため、ブラケット水平部３２のみの場合に比べてより多くの熱を反射することができる。
又、ファン８２が駆動されると、エアを適宜下方に送る。当該エアは、ファン８２の下方の邪魔板８４を介して、テーブル８上の空間（被加熱物Ｗを載せ得る空間，加熱空間）に到達する。当該エアは、邪魔板８４により、ファン８２が中央部のみにあったとしても、加熱空間に対して均一に届く。エアを吹きながらの加熱は、熱伝導率の悪い透明な樹脂やガラスの加熱（乾燥を含む）を行う場合や複合材料物の加熱（乾燥を含む）を行う場合等における、内部を重点的に速く加熱する目的や、内部と表層部の双方を均一に（全体的に均一に）速く加熱する目的に合う。
加熱終了後は、メインスイッチやファン８２のスイッチを切り、被加熱物Ｗを取り出す。
【００２２】
以上の加熱装置１では、次のような作用効果を奏する。
即ち、加熱装置１は、チェーン１２，１２と、チェーン１２，１２に設けられた複数のヒータ１０，１０・・と、チェーン１２，１２を任意の姿勢に支持するリンク機構１４，１４、移動部１６，１６、移動部支持機構１８，１８とを備えている。
従って、様々な大きさや形状の被加熱物Ｗに対して、均一に加熱する等の目的に合致した加熱を行える加熱装置１を提供することができる。
又、移動部１６，１６は、移動可能な複数のロッド６０，６０・・を有しており、チェーン１２，１２は、複数のロッド６０，６０・・の各位置に応じた姿勢をとる。
従って、様々な大きさや形状の被加熱物Ｗに対して、均一に加熱する等の目的に合致した加熱を行えるシンプルな構成の加熱装置１を提供することができる。
【００２３】
更に、ロッド６０，６０・・は、それぞれリンク５０，５０・・を介して、チェーン１２，１２と接続されているので、チェーン１２，１２が様々な姿勢をとったとしてもこれに追従して、ロッド６０，６０・・やチェーン１２，１２等に余計な応力がかかる事態を防止し、円滑な動作を実現することができる。
加えて、ヒータ１０，１０・・は、ヒータブラケット１１，１１・・を介してチェーン１２，１２に対し取り付けられるので、ヒータ１０，１０・・やチェーン１２，１２を保護することができるし、ヒータ１０，１０・・の熱をヒータブラケット１１，１１・・で反射することで効率的に用いることができる。
又、ヒータ１０，１０・・は、赤外線ヒータであるので、加熱速度が速く良好な熱の浸透性を有する赤外線による加熱を、ヒータの方向を目的に合った方向（被加熱物Ｗの形状に合う方向等）に調整した状態で良好に行うことができる。
更に、ヒータ１０，１０・・と対向するテーブル８と、テーブル８に対してエアを送るファン８２と、テーブル８とファン８２との間に設けられる邪魔板８４とが設けられているので、ファン８２と邪魔板８４によってテーブル８（被加熱物Ｗ）に対して満遍なくエアが供給され、被加熱物Ｗに対する一様な加熱を実現することが可能となる。
【００２４】
［第２形態］
次いで、本発明の第２形態に係る加熱装置について説明する。第２形態の加熱装置は、各ロッド６０に長手方向に沿う図示しないラックギアを設けると共に、移動部支持機構１８，１８（ストッパ７０，７０・・）の代わりに移動部駆動機構（サーボモータ７１，７１・・）を設け、更に当該移動部駆動機構を制御する制御手段（ＰＬＣ７４）を設けた他は、第１形態と同様に成る。第１形態と同様な部材には、同じ符号を付し、適宜説明を省略する。
【００２５】
図８は、サーボモータ７１，７１・・等の電気的側面を示すブロック図である。各サーボモータ７１は、各ストッパ７０の代わりに天板１９の左辺縁又は右辺縁に取り付けられており、移動部１６における対応するロッド６０を受け入れている。各サーボモータ７１は、ロッド６０のラックギアに噛み合う図示しないピニオンギアを備えており、ロッド６０を駆動して上下に移動させる。又、各サーボモータ７１は、ロッド６０を支えている。
各サーボモータ７１は、制御手段としての共通のプログラムロジックコントローラ（ＰＬＣ）７４に接続されている。ＰＬＣ７４は、各サーボモータ７１に対し、個別に駆動量を指令可能であり、ロッド６０の移動量（位置）を個別に指定可能である。
ＰＬＣ７４には、入出力手段としてのタッチパネル７６が接続されている。タッチパネル７６では、サーボモータ７１毎の駆動量等、ＰＬＣ７４に制御させる内容を入力し（タッチパネル７６上のボタンの押下等）、確認する（タッチパネル７６上の表示等）。
ＰＬＣ７４やタッチパネル７６は、図示しない電源部と電気的に接続されている。尚、ＰＬＣ７４は、ヒータ制御手段やファン８２のスイッチの役割も担う。又、ＰＬＣ７４は、ファン８２と電気的に接続されており、ファン８２のオンオフないし風量を制御可能である。
【００２６】
このような第２形態の加熱装置の動作例につき説明する。
予め加熱の目的に合わせて、タッチパネル７６を介し、ＰＬＣ７４に対して、各サーボモータ７１の駆動量を指定しておく。ここでは、被加熱物Ｗの形状に合わせて全体的に均一に加熱するため、各サーボモータ７１の駆動量を被加熱物Ｗの形状に合うように指定しておく。又、加熱時間（又は加熱パターン）や、ファン８２の駆動の有無（又はファン駆動パターン）も指定しておく。尚、加熱パターンは、加熱開始からの時間（加熱終了時間まで）と加熱量（０も含む）の関係のことであり、ファン駆動パターンは、同様に加熱開始からの時間と風量の関係のことである。又、予めの入力に代えて、あるいは予めの入力と共に、加熱直前あるいは加熱中の入力を行っても良い。
【００２７】
そして、被加熱物Ｗをテーブル８上にセットして、ＰＬＣ７４が、加熱動作開始の指令を、適宜タッチパネル７６からの入力に応じて出す。
すると、ＰＬＣ７４は、サーボモータ７１，７１・・をそれぞれ独立して、予め指定された駆動量において駆動する。サーボモータ７１，７１・・により駆動されたロッド６０，６０・・は、指定された駆動量に応じた位置まで上又は下に移動する。
移動によりロッド６０，６０・・の上下位置が互いに異なったとしても、リンク５０，５０・・を介したチェーン１２のコマ２０，２０・・の動きにより、ヒータブラケット１１，１１・・（連結板３１，３１）が、側面視で連続曲線に沿う姿勢に動かされる。リンク５０，５０・・は、コマ２０，２０・・の前後方向の動きに追従可能であり、余程無理なサーボモータ７１，７１・・の駆動量を指定しない限り、ロッド６０，６０・・が前後に移動しなくても、ロッド６０，６０・・やサーボモータ７１，７１・・等に負担がかからない。尚、駆動量が交互に最大値及び最小値となってロッド６０，６０・・が交互に移動範囲の上端及び下端に位置する等、無理な駆動量が指定された場合には、予めエラーメッセージを表示したり、入力を受け付けなくしたり、加熱運転の開始を受け付けなくしたりすることが可能である。
ロッド６０，６０・・の移動が完了すると、ヒータブラケット１１，１１・・が被加熱物Ｗの形状に合うように向き、ヒータ１０，１０・・が被加熱物Ｗの形状に沿った並びとなるので、ＰＬＣ７４は、ヒータ１０，１０・・に対する通電を許可して、ヒータ１０，１０・・による被加熱物Ｗの加熱を開始する。
【００２８】
又、被加熱物Ｗの加熱時において、ＰＬＣ７４は適宜ファン８２の駆動を制御し、指定された風量のエアを適宜下方に送る。当該エアは、ファン８２の下方の邪魔板８４を介して、加熱空間に到達する。当該エアは、邪魔板８４により、ファン８２が中央部のみにあったとしても、加熱空間に対して均一に届く。
ＰＬＣ７４は、指定された加熱時間（加熱パターン）に従ってヒータ１０，１０・・に対する通電を行い、加熱終了時間に達したら加熱を終了する。加熱終了後、ＰＬＣ７４は、指令等に基づき適宜ファン８２を駆動して、被加熱物Ｗを適宜冷ます。被加熱物Ｗは、加熱あるいはその後の冷却を終えると、取り出される。
ＰＬＣ７４は、以上の加熱動作を適宜繰り返す。繰り返しに際しては、チェーン１２を同じ姿勢としたまま次の被加熱物Ｗを加熱しても良いし、チェーン１２の姿勢を適宜入力に従って変更して次の被加熱物Ｗを加熱しても良い。
【００２９】
第２形態の加熱装置では、次のような作用効果を奏する。
即ち、第２形態の加熱装置は、チェーン１２，１２と、チェーン１２，１２に設けられた複数のヒータ１０，１０・・と、チェーン１２，１２を任意の姿勢に支持するリンク機構１４，１４、移動部１６，１６、移動部駆動機構とを備えている。
従って、様々な大きさや形状の被加熱物Ｗに対して、均一に加熱する等の目的に合致した加熱を行える加熱装置を提供することができる。
又、複数のロッド６０，６０・・が移動部駆動機構（サーボモータ７１，７１・・）によって駆動されるため、移動部駆動機構を駆動するという簡単な操作によってチェーン１２，１２の多彩な姿勢を容易に実現することができる。
加えて、移動部駆動機構の駆動量を制御するＰＬＣ７４と、ＰＬＣ７４に、移動部駆動機構の前記駆動量とチェーン１２，１２の前記姿勢の内の少なくとも一方を入力するタッチパネル７６とを備えており、ＰＬＣ７４は、タッチパネル７６によって入力された前記駆動量に従い移動部駆動機構を駆動して、チェーン１２，１２を前記駆動量に応じた前記姿勢とし、複数のヒータ１０，１０をチェーン１２，１２の前記姿勢に応じた並びとする。従って、チェーン１２，１２の姿勢を自動制御して、様々な大きさや形状の被加熱物Ｗに合ったヒータ１０，１０の並びを自動的に実現することができる。
【００３０】
［第３形態］
続いて、本発明の第３形態に係る加熱装置について説明する。第３形態の加熱装置は、ヒータ１０、１０・・、ヒータブラケット１１，１１・・、左右のチェーン１２，１２を除き、第１形態と同様に成る。第１形態と同様な部材については、同じ符号を用い、適宜説明を省略し、以下同様とする。
【００３１】
図９は、当該加熱装置の要部を示す模式図である。当該加熱装置は、第１形態と同様に成る、左右のリンク機構１４，１４、左右の移動部１６，１６を有する。尚、図９では、一方のリンク機構１４や移動部１６について、模式的に示している。
又、当該加熱装置のチェーン１１２は、左右に長い複数の履板１１１，１１１・・が、前後方向において帯状に連なった形態となっている。チェーン１１２は、第１形態のように左右に２本ではなく、１本となっている。
互いに隣接する履板１１１，１１１の間には、蝶番１１３がそれぞれ架設されている。各蝶番１１３は、図１０や図１１にも示すように、軸１１５の周りでそれぞれ独立して回転可能である第１可動板１１７と第２可動板１１９を有しており、第１可動板１１７と一方の履板１１１とが互いに固定され、第２可動板１１９と他方の履板１１１とが互いに固定されている。よって、互いに隣接する履板１１１，１１１の一方は、蝶番１１３の軸１１５の周りで他方に対して相対的に回転可能であり、チェーン１１２は、任意の履板１１１が折れ曲がることで無限軌道のように姿勢（帯の形状）を変えることができる。
蝶番１１３の軸１１５は、左右方向を向いている。又、履板１１１，１１１の間において、蝶番１１３は左右に２個設けられている。尚、図９において、蝶番１１３の軸１１５を省略している。
履板１１１，１１１は、金属製の板であり、ヒータブラケットの役割を担っている。即ち、各履板１１１には、第１形態と同様に、ヒータクランプ４０やナット４２，４２を介してヒータ１０が設けられている。
【００３２】
第３形態に係る加熱装置によっても、第１形態と同様、チェーン１１２を任意の姿勢に支持することができ、様々な大きさや形状の被加熱物Ｗに対して、均一に加熱する等の目的に合致した加熱を行える加熱装置を提供することが可能となる。
又、チェーン１１２として履板（ヒータブラケット）１１１を用いているため、構成がシンプルになるし、履板１１１がコマに比べて取り替え易く、ヒータピッチの大きさやチェーン１１２の全体長さ・幅等を容易に変更することができる。又、複数のローラを有するコマに比べ、履板１１１を小さくし易く、ヒータピッチを比較的に細かくすることが容易である。
【００３３】
［第４形態］
続いて、本発明の第４形態に係る加熱装置について説明する。第４形態の加熱装置は、第３形態と同様に成るヒータ１０、１０・・、及びチェーン１１２を有している。
【００３４】
図１２は、当該加熱装置の要部を示す上面模式図である。尚、ヒータクランプ４０は短くされており、図１２において図示していない。
当該加熱装置では、チェーン１１２の各履板１１１の長手方向が、鉛直方向を向いており、各履板１１１が鉛直に立っている。チェーン１１２は輪状となっており、端部がなく、全ての履板１１１が何れかの蝶番１１３と接続されていて、正に車両用の無限軌道のようになっている。蝶番１１３，１１３・・は、内側に配置されている。
更に、ヒータ１０，１０・・が、チェーン１１２の内側に配置されている。
又、一部の履板１１１，１１１・・に、リンク機構１４，１４・・が接続されている。リンク機構１４，１４・・は、一定の間隔を置いた履板１１１において設けられる。リンク機構１４は、履板１１１の中央部外側に対して１本接続されており、接続された履板１１１を移動させる。
各リンク機構１４は、外方に延びる移動部１６及び移動部支持機構１８（双方とも図１２において省略）を介して、フレーム２の側面に貼られた側板（図示せず）に対し、移動可能に設置されている。尚、チェーン１１２は、テーブル８に載せられても良いし、移動部支持機構１８等によってテーブル８から離れて支持されても良い。
【００３５】
第４形態の加熱装置において、被加熱物Ｗをチェーン１１２の上又は下から入れると、被加熱物Ｗの周囲をチェーン１１２によって囲むことができる。従って、円柱状の被加熱物Ｗの側面全体を均一に加熱する等の目的で被加熱物Ｗを加熱することができる。又、各リンク機構１４の移動量の調整により、チェーン１１２を楕円柱状や角の丸い多角柱状等にすることができ、楕円柱状等の被加熱物Ｗの均一加熱等を行える。
【００３６】
［第５形態］
続いて、本発明の第５形態に係る加熱装置について説明する。第５形態の加熱装置は、第３形態と同様に成るヒータ１０，１０・・、及びチェーン１１２を有しており、左右のリンク機構１４，１４、左右の移動部１６，１６、左右の移動部支持機構１８，１８は省略されている。
【００３７】
図１３は、当該加熱装置の要部を示す上面模式図である。尚、ヒータクランプ４０は短くされており、図１３において図示していない。
チェーン１１２は、上から見て矩形の３辺に相当する姿勢で、テーブル８の上に置かれる。即ち、チェーン１１２は、３つの平面を有する姿勢となっている。チェーン１１２の履板１１１の隣接位置であって、ヒータ１０と逆側には、チェーン１１２の姿勢を維持する添え板１２１，１２１・・が配置されている。各添え板１２１は、履板１１１より小さい幅を有しており、同一平面内における隣接する履板１１１，１１１の双方に亘るように添えられていて、当該平面を平らに維持する。
又、当該平面の端部であって、他の平面と隣接するコーナー部（２箇所）には、上から見てＬ字状のコーナー添え板１２３，１２３が添えられている。
各添え板１２１や各コーナー添え板１２３は、チェーン１１２を上記姿勢で支持するチェーン支持手段を構成する。尚、チェーン１１２を載せるテーブル８、あるいはテーブル８と各添え板１２１を、チェーン支持手段とみることもできる。
各添え板１２１は、履板１１１より大きい幅としても良いし、３枚以上の履板１１１に亘るようにしても良いし、複数種類の幅のものを混在させても良い。又、添え板１２１とコーナー添え板１２３の少なくとも一方を省略することができるし、コーナー添え板１２３の一方を省略したり、３個以上設けたりすることができる。更に、添え板１２１とコーナー添え板１２３が一体となった添え板を添えることができる。
各添え板１２１を、ヒータ１０と同じ側、あるいは両側に配置しても良い。履板１１１を有するチェーン１１２を、上から見て矩形の２辺や４辺に相当する姿勢としてもよいし、矩形以外の四辺形や、他の多角形に相当する姿勢としても良い。添え板１２１は、平板のみならず、チェーンの任意の屈曲姿勢に応じた形状の板等とすることができる。又、リンク機構・移動部・移動部支持機構によるチェーン支持手段を有する加熱装置において、添え板１２１やコーナー添え板１２３を併用しても良い。
【００３８】
第５形態に係る加熱装置によって、チェーン１１２を箱状に支持することができ、箱状の被加熱物Ｗに対して、均一に加熱する等の目的に合致した加熱を行える加熱装置を提供することが可能となる。
又、左右のリンク機構１４，１４、左右の移動部１６，１６、左右の移動部支持機構１８，１８が省略され、テーブル８や各添え板１２１でチェーン１１２を支持するので、シンプルな構成においてチェーン１１２の姿勢を確実に維持することが可能となる。
更に、各添え板１２１が同幅で複数設けられているので、チェーン１１２の形状が変化しても、添え板１２１，１２１の配置を変えることでチェーン１１２を支持することができる。
【００３９】
［第６形態］
続いて、本発明の第６形態に係る加熱装置について説明する。第６形態の加熱装置は、第３形態に対し、チェーン１１２（各履板１１１及び各蝶番１１３）のみ異なる。
【００４０】
図１４は、当該加熱装置のチェーン１３２における履板１３１，１３１・・の一部を示したものである。各履板１３１の前後の辺部には、円筒端部１３３，１３３が形成されている。各円筒端部１３３は、中空円筒部分と平坦部分を、左右方向において交互に有する。尚、中空円筒部分と平坦部分の数は、それぞれ１個でも複数でも良く、円筒端部１３３毎に相違しても良い。
前後に隣接する履板１３１，１３１同士の、前の円筒端部１３３と、後の円筒端部１３３は、左右方向において互い違いに形成されており、前の円筒端部１３３の中空円筒部分が後の円筒端部１３３の平坦部分に入り、前の円筒端部１３３の平坦部分が後の円筒端部１３３の中空円筒部分に入る。このように、隣接する履板１３１，１３１の円筒端部１３３，１３３は、前後方向において重なっており、更に双方の円筒端部１３３における中空円筒部分の中心孔の軸が揃っている。その中心孔には、隣接する履板１３１，１３１の円筒端部１３３，１３３に共通する軸体１３５が配置されている。円筒端部１３３，１３３・・や軸体１３５，１３５・・は、チェーン１３２の両端以外の履板１３１，１３１間に設けられる。隣接する履板１３１，１３１の一方は、他方に対し、軸体１３５の周りで（円筒端部１３３の中空円筒部分を介して）相対的に回転可能である。
【００４１】
第６形態に係る加熱装置によっても、チェーン１３２の履板１３１，１３１・・は軸体１３５，１３５・・の周りを回転する円筒端部１３３，１３３・・によって様々な姿勢をとることができ、履板（ヒータブラケット）１３１，１３１・・に取り付けられたヒータ１０，１０・・によって、均一に加熱する等の目的に合致した加熱を行える加熱装置を提供することが可能となる。
又、当該加熱装置は、蝶番を利用した第３形態の加熱装置と同様シンプルに任意の姿勢をとり得るチェーン１３２を構成することが可能であり、しかもチェーン１３２の隣接する履板１３１，１３１の一方が水平な場合において、他方がその水平面より上にも下にも回転移動することができ、チェーン１３２に一層自由な姿勢をとらせることが可能となる。
【００４２】
［第７形態］
更に、本発明の第７形態に係る加熱装置について説明する。第７形態の加熱装置は、第１形態に対し、被加熱物Ｗの表層部冷却手段のみ異なる。
第１形態では、被加熱物Ｗのヒータ１０，１０・・側の表層部に対して、ヒータ１０，１０・・側に配置されたファン８２によりエアを吹き付けることで、当該表層部を冷却している（表層部冷却手段）。ここで、表層部の冷却とは、ヒータ１０，１０・・の加熱のみにより実現される表層部温度（表層部加熱量）より低い表層部温度（表層部加熱量）にすることを言う。
これに対し、図１５に要部を示す第７形態の加熱装置では、被加熱物Ｗのヒータ１０，１０・・側の表層部Ｈ表面に載せる（表層部Ｈに隣接する）表層部冷却器１４１（表層部冷却手段）を具備する。表層部冷却器１４１は、赤外線Ｉを遮断しない赤外線透過性ガラス板製の本体部１４３と、本体部１４３の中に形成された水路１４５と、水路１４５に対し冷却媒体としての水１４７を温度調整手段１４９により温度調整した上で供給すると共に温度上昇した水１４７を回収する水循環部１５１を有する。水１４７の温度（冷熱量）は、被加熱物Ｗの表層部Ｈを冷却し、被加熱物Ｗの内部Ｎを比較的に冷却しない温度（冷熱量）に調整される。水１４７は、ヒータ１０，１０・・と被加熱物Ｗの間において供給され、被加熱物Ｗの表層部Ｈに隣接する状態で供給される。表層部冷却器１４１の本体部１４３が冷却媒体の流路形成体に相当し、水路１４５が冷却媒体の流路に相当する。表層部Ｈと内部Ｎの区分は、被加熱物Ｗの性質、加熱の目的、あるいは加熱源や被加熱物Ｗの種類に応じた熱の被加熱物Ｗに対する浸透力等に応じ、適宜設定することができる。
表層部冷却器１４１に水１４７を循環させた状態でヒータ１０，１０・・により赤外線Ｉを放射すると、赤外線Ｉは表層部冷却器１４１の本体部１４３のガラスや水路１４５内の水１４７を透過し、被加熱物Ｗの表層部Ｈないし内部Ｎに到達して、被加熱物Ｗを加熱する。又、本体部１４３中の水路１４５における水１４７の循環により、被加熱物Ｗの表層部Ｈが冷却される。尚、被加熱物Ｗの表層部Ｈは、ヒータ１０，１０・・と表層部冷却器１４１により、ヒータ１０，１０・・のみによる加熱の場合より僅かに穏やかな加熱となるようにしても良いし、かなり穏やかな加熱となるようにしても良いし、内部Ｎは室温より高温に加熱されるが表層部Ｈは室温より低温に冷却されるようにしても良く、表層部Ｈの加熱の程度はヒータ１０，１０・・による加熱量に対する表層部冷却器１４１による冷却量の比の調整によって自由に設定することができる。
【００４３】
第７形態の加熱装置によっても、第１形態のファン８２と同様、表層部冷却器１４１によって被加熱物Ｗの表層部Ｈを被加熱物Ｗの内部Ｎに対して相対的に冷却するので、赤外線Ｉが最初に到達して加熱量が比較的に大きくされる被加熱物Ｗの表層部Ｈに対する加熱を緩和したり、被加熱物Ｗの表層部Ｈの加熱量（温度上昇）と被加熱物Ｗの内部Ｎの加熱量（温度上昇）を均一にしたり、被加熱物Ｗの内部Ｎの加熱量が被加熱物Ｗの表層部Ｈの加熱量より多い状態における加熱を実現したりすることができる。
特に、赤外線Ｉのヒータ１０，１０・・では、赤外線Ｉ（殊に近赤外線等）による加熱が被加熱物Ｗ（殊に透明樹脂を始めとする赤外線浸透性樹脂等）の内部Ｎに浸透し易いので、被加熱物Ｗ全体の均一加熱等が実現し易い。又、表層部冷却器１４１が赤外線Ｉを透過する素材である赤外線透過性ガラス（赤外線透過体）を用いて形成されているため、被加熱物Ｗのヒータ１０，１０・・に相対する側に表層部冷却器１４１が置かれても、被加熱物Ｗの加熱を妨げない。又、水１４７も赤外線Ｉ（殊に近赤外線）を通し易いので、被加熱物Ｗの加熱を妨げない。
そして、被加熱物Ｗの表層部Ｈと内部Ｎの加熱量をそれぞれ調節できるので、表層部Ｈと内部Ｎで異なる層となっている複層部材を被加熱物Ｗとする場合にも適切な加熱を行うことができる。
尚、第７形態等の変更例を述べる。表層部冷却器１４１において、ガラス以外の他の熱透過素材（例えば赤外線透過樹脂）を用いたり、水１４７の温度調整を省略したり、水１４７以外の他の冷却媒体を用いたり、複数種類の冷却媒体（エアと水１４７等）を併用したり、水循環部１５１に代えてあるいは水循環部１５１と共に水の供給のみを行う水供給部を用いたり、表層部冷却器１４１を制御手段（第２形態のＰＬＣ７４等）に接続して自動制御したりして良い。又、表層部冷却器１４１を、冷却媒体の種類を揃えてあるいは異ならせて複数配置したり、水１４７を用いた表層部冷却器１４１とファンとを併用したりして良い。更に、赤外線Ｉを発するヒータ１０，１０・・に代えて、あるいはヒータ１０，１０・・と共に、他のヒータを用いて良い。表層部冷却器１４１を、被加熱物Ｗの表層部Ｈと間隙を有するように被加熱物Ｗと隣接させた状態で配置しても良いし、被加熱物Ｗとヒータ１０，１０・・の間に配置しても良い。
【００４４】
ここで、第１形態・第２形態（ファン）や第７形態（表層部冷却器）、あるいはその変更例等により把握される発明について記載する。
（１）ヒータと、
前記ヒータに対向して被加熱物を配置するテーブルと、
前記被加熱物と前記ヒータの間に冷却媒体を供給する被加熱物表層部冷却手段と
を有することを特徴とする加熱装置。
この加熱装置により、被加熱物の内部に対する表層部の加熱量を自由に調節することができる。尚、冷却媒体は、被加熱物の（ヒータ側の）表層部に対し供給されるものと捉えることもできる。
（２）前記被加熱物表層部冷却手段はファンであり、
前記冷却媒体はエアである
ことを特徴とする（１）に記載の加熱装置。
この加熱装置により、被加熱物の内部に対する表層部の加熱量を調節可能な加熱装置をシンプルに実現することができる。
（３）前記被加熱物表層部冷却手段は、冷却媒体の流路を形成する流路形成体であり、前記被加熱物の表面に接している
ことを特徴とする（１）に記載の加熱装置。
この加熱装置により、被加熱物の内部に対する表層部の加熱量をより一層きめ細やかに調節可能な加熱装置を提供することができる。
（４）前記ヒータは、赤外線を放射可能な赤外線ヒータであり、
前記流路形成体は、赤外線透過体である
ことを特徴とする（３）に記載の加熱装置。
この加熱装置により、被加熱物の内部まで良く加熱可能であり、且つ被加熱物の内部に対する表層部の加熱量を調節可能であり、更になるべく被加熱物の加熱を妨げず加熱効率の良好な加熱装置を提供することができる。
【００４５】
［変更例］
尚、上述の各形態に対して、次に例示するような変更を適宜施すことが可能である。
フレームにパネルを設けて被加熱物（加熱空間）を覆っても良い。テーブルは複数設けて良いし、１個のテーブルに複数の被加熱物を載せても良い。
ヒータは、赤外線ヒータに代えて、又は赤外線ヒータと共に、紫外線ランプ、誘導加熱コイル、又はこれらの組合せを採用することができる。１個のヒータブラケットに対し、複数のヒータを取り付けても良いし、１個おきのヒータブラケットにヒータを取り付ける等、一部のヒータブラケットのみにヒータを取り付けても良い。ヒータを取り付けないヒータブラケットを、より簡素な接続部材に変更しても良い。又、ヒータブラケットの中央ではなく辺縁にヒータを配置する等、各種部材の配置を変更することができる。
ヒータ制御手段は、被加熱物の内部温度や被加熱物の外部環境（加熱空間）の温度に基づいてヒータのオンオフや発熱強度の強弱を制御しても良く、この場合内部温度センサや加熱空間温度計等を設けることができる。又、ヒータ制御手段は、全てのヒータ１０，１０・・について同じオンオフあるいは強弱とするように制御しても良いし、個々のヒータ１０，１０・・について個別に行っても良い。個別に制御する場合、互いに異なる箇所の温度を検知する温度計を複数設けることができ、それぞれの温度に基づいて個々のヒータのオンオフや強弱を設定することができる。
チェーンは、コマが１列のものあるいは３列以上並行したものとして良いし、ブルドーザー等における無限軌道のように１個の帯あるいは輪として結合された履板の集合であっても良い。チェーンに対し、ヒータブラケットを介さず直接ヒータを取り付けても良いし、複数のヒータブラケットを介して１個のヒータを取り付けても良い。列の最前のコマあるいは最後のコマに対してヒータを取り付けても良い。ヒータを取り付けるヒータブラケットとヒータを取り付けない連結板を交互に設けても良いし、ヒータブラケットや連結板を固定しないコマを設けても良い。ヒータブラケットのブラケット垂下部について、１個あるいは３個以上としたり、省略したりすることができる。
チェーンやリンク機構等は、左右２本ではなく、１本あるいは３本以上設置しても良い。
各種部材の取り付けや固定は、ボルトに代えて係止爪を用いる等、様々に変更することができる。
リンクは、１個あるいは３個以上のベアリングを有するものであって良いし、前後のみならず左右にも動くものであっても良い。
ロッドは、モータで動くボールネジやリニアモータにより駆動されても良いし、エアシリンダにより駆動されても良い。ロッドを支える軸受を追加することができる。移動部駆動機構は、チェーンを直接駆動するものであっても良い。
被加熱物の投入や取り出しは、手動で行われても良いし、テーブルに対する搬入手段ないし搬出手段（ベルトコンベヤやコロやロボットハンド等）により自動で行われても良い。
【００４６】
各種の制御手段は、パーソナルコンピュータやサーバコンピュータであっても良く、サーボモータやヒータ等に分かれて（協調制御可能に分散して）設けられていても良い。制御手段において、駆動量の指定に代えて、あるいは駆動量の指定と共に、各ロッドの位置（移動量）、チェーンの姿勢（加熱時の最終的な形状）、又はこれらの組合せの指定を行うことができる。
入力手段や出力手段は、ポインティングデバイス、キーボード、ボタン、モニタ、プリンタ、据え置き型あるいは可搬型の記録媒体、又はこれらの組合せ等とすることができる。
制御手段、入力手段、出力手段は、省略することができる。ファンは、ヒータと共通のあるいは専用のスイッチにより作動するようにして良い。
上カバー、ファン、邪魔板あるいは端子台ユニットを省略することができる。邪魔板に代えて、あるいは邪魔板と共に、複数のスリットを有する板や、複数のダクトを有するボックス、突起を有するブロック、又はこれらの組合せを用いて、ファンのエアを均一にすることができる。上カバーやファン、邪魔板を複数設置しても良い。
【００４７】
蝶番の数は、履板の間毎に１個あるいは３個以上としたり、履板の間の位置によって数を変えたりする等、適宜変更することができる。蝶番は、履板におけるヒータと同じ側に取り付けても良いし、両側に取り付けても良い。
履板（ヒータブラケット）の数や大きさも、適宜変更することができ、履板（ヒータブラケット）は、複数種類の大きさのものを（交互に）混在させたり、それぞれ異なる大きさとしたり、端の履板だけ異なる大きさとしたりすることができる。
履板に対し、リンク機構を、２個（例えば両端部）、あるいは３個以上（例えば両端部及び中央部）設けても良い。
１本のチェーンにおける両端の履板同士を接続してチェーンを輪状にしても良いし、１本のチェーンにおける両端を接続せずに、チェーン支持手段によってチェーンを輪状にしても良い。後者の場合、輪状姿勢における輪の大きさ（円の場合では内径）を様々に変更することができる。
円筒端部の中空円筒部分の高さは、履板やコマの厚みより高くても良いし、それらの厚みと同等の高さであっても良いし、それらの厚みより低くても良い。円筒端部の高さがそれらの厚みと同等の高さか、それらの厚みより低い場合、履板やコマに孔を開けることで円筒端部を形成することができる。
チェーンにおいて、コマと履板を混在させたり、蝶番と円筒端部を混在させたりして良い。
【符号の説明】
【００４８】
１・・加熱装置、８・・テーブル、１０・・ヒータ、１１・・ヒータブラケット（ブラケット）、１２，１１２，１３２・・チェーン、１８・・移動部支持機構（チェーン支持手段）、５０・・リンク（チェーン支持手段）、６０・・ロッド（チェーン支持手段）、７１・・サーボモータ（移動部駆動機構）、７４・・ＰＬＣ（制御手段）、７６・・タッチパネル（入力手段）、８２・・ファン、８４・・邪魔板（風量均一化手段）、１１１・・履板、１１３・・蝶番、１２１・・添え板（チェーン支持手段）、１２３・・コーナー添え板（チェーン支持手段）、１３３・・円筒端部（中空円筒部分）、１３５・・軸体、Ｗ・・被加熱物。
【図１】
2019076736.tif 000003
【図２】
2019076736.tif 000004
【図３】
2019076736.tif 000005
【図４】
2019076736.tif 000006
【図５】
2019076736.tif 000007
【図６】
2019076736.tif 000008
【図７】
2019076736.tif 000009
【図８】
2019076736.tif 000010
【図９】
2019076736.tif 000011
【図１０】
2019076736.tif 000012
【図１１】
2019076736.tif 000013
【図１２】
2019076736.tif 000014
【図１３】
2019076736.tif 000015
【図１４】
2019076736.tif 000016
【図１５】
2019076736.tif 000017